(57)【特許請求の範囲】
【請求項１】
上端に混合気を噴出する炎口部を有する前後方向に長手の偏平バーナであって、炎口部の外側の前後方向に沿う側板部の上端の所定箇所と点火電極との間でスパークさせて、炎口部から噴出する混合気に点火するものにおいて、
側板部の上端の前記所定箇所に下方に窪む切欠きを形成することを特徴とする偏平バーナ。
【請求項２】
請求項１記載の偏平バーナであって、横方向に対峙する一対の側板を有するバーナ本体と、バーナ本体を横方向両側から覆う一対の側板を有するバーナキャップとを備え、前記側板部は、バーナキャップの横方向一側の側板で構成され、この側板の上端の所定箇所に前記切欠きを形成するものにおいて、
バーナキャップの横方向他側の側板の上端に、前記切欠きと点対称になるように切欠きを形成することを特徴とする偏平バーナ。
【発明の詳細な説明】
【技術分野】
【０００１】
本発明は、上端に混合気を噴出する炎口部を有する前後方向に長手の偏平バーナに関する。
【背景技術】
【０００２】
この種の偏平バーナでは、炎口部の外側の側板部の上端と点火電極との間でダイレクトにスパークさせて、炎口部から噴出する混合気に点火するようにしている。そして、従来は、側板部の上端の所定箇所に、スパークを飛ばすターゲットとなる上方に突出する突起を形成している(例えば、特許文献１、２参照)。
【０００３】
然し、このような突起は、バーナ燃焼時に火炎に晒されるため、突起の先端が熱だれで丸くなってしまうことがある。そして、突起の先端がこのように変形すると、スパークが突起の先端に飛び難くなって、点火性能が悪化してしまう。
【先行技術文献】
【特許文献】
【０００４】
【特許文献１】特開２０１１−１２７８６３号公報(図４)
【特許文献２】特開２０１３−１２２３３６号公報(図２、図６、図７)
【発明の概要】
【発明が解決しようとする課題】
【０００５】
本発明は、以上の点に鑑み、点火性能が悪化することを可及的に防止できるようにした偏平バーナを提供することをその課題としている。
【課題を解決するための手段】
【０００６】
上記課題を解決するために、本発明は、上端に混合気を噴出する炎口部を有する前後方向に長手の偏平バーナであって、炎口部の外側の前後方向に沿う側板部の上端の所定箇所と点火電極との間でスパークさせて、炎口部から噴出する混合気に点火するものにおいて、側板部の上端の前記所定箇所に下方に窪む切欠きを形成することを特徴とする。
【０００７】
本発明によれば、切欠きの両端の下方に窪み始めるエッジ部がターゲットとなって、ここにスパークが飛ぶ。そして、このエッジ部は、従来例の如きターゲットとなる突起先端と異なり、熱で変形し難く、点火性能が悪化することを可及的に防止できる。
【０００８】
ところで、偏平バーナが、横方向に対峙する一対の側板を有するバーナ本体と、バーナ本体を横方向両側から覆う一対の側板を有するバーナキャップとを備えるものであって、炎口部の外側の側板部がバーナキャップの横方向一側の側板で構成され、この側板の上端の所定箇所に切欠きを形成する場合は、バーナキャップの横方向他側の側板の上端に、前記切欠きと点対称になるように切欠きを形成することが望ましい。これによれば、バーナキャップの向きを逆にして、本来横方向一側に配置すべき側板を横方向他側に配置させた状態でバーナキャップをバーナ本体に組付けても、横方向一側に配置された側板の上端の切欠きがターゲットとなるべき所定箇所に位置する。従って、バーナキャップをその向きを気にせずに組付けられるようになり、組付け性が向上する。
【図面の簡単な説明】
【０００９】
【図１】本発明の実施形態の偏平バーナを具備する燃焼装置の斜視図。
【図２】図１の燃焼装置の切断側面図。
【図３】実施形態の偏平バーナの斜視図。
【図４】図３のＩＶ−ＩＶ線で切断した偏平バーナの断面図。
【発明を実施するための形態】
【００１０】
図１、図２を参照して、１は、給湯用熱源機から成る燃焼装置を構成する燃焼筐を示している。燃焼筐１の上面は開放されており、燃焼筐１の上に被加熱物として図示省略した給湯用熱交換器が設置される。燃焼筐１内には、燃焼筐１内の空間を燃焼室２とその下側の給気室３とに仕切る仕切り板４が設けられている。燃焼室２内には、前後方向に長手の偏平バーナ５が横方向に隙間を存して並べて複数並設されている。
【００１１】
給気室３の底面には図外の燃焼ファンが接続されており、燃焼ファンから給気室３に空気が供給される。仕切り板４には、多数の分布孔４１が形成されており、給気室３に供給された空気がこれら分布孔４１を介して燃焼室２に二次空気として供給されるようにしている。
【００１２】
また、仕切り板４の前端には、上方に屈曲する起立板部４２と、起立板部４２の上端から前方に屈曲して燃焼筐１の前面の外壁板１１に達する上板部４３とが設けられている。そして、給気室３の前端部に、起立板部４２の前側で上板部４３に達するように立上る一次空気室３１が設けられる。起立板部４２には、各偏平バーナ５の後述する混合管部５４の上流端の流入口５４ａに臨む各開口４４が形成され、一次空気室３１の前面は、ガスマニホールド６で閉塞される。ガスマニホールド６には、各開口４４に対向する各ノズル６１が設けられており、各開口４４、即ち、各偏平バーナ５の混合管部５４に各ノズル６１から燃料ガスが供給されると共に一次空気室３１から一次空気が供給される。また、燃焼筐１の前面には、フレームロッド７と点火電極８とが配置されている。
【００１３】
図３、図４を参照して、偏平バーナ５は、横方向に対峙する一対の側板５１ａ，５１ａを有するバーナ本体５１と、バーナ本体５１を横方向両側の外側から覆う一対の側板５２ａ，５２ａを有するバーナキャップ５２とを備えている。また、偏平バーナ５は、上端に、混合気を噴出する炎口部５３を有している。この炎口部５３には、バーナ本体５１の両側板５１ａ，５１ａの上端を繋ぐ上板５１ｂに前後方向の間隔を存して複数形成した主炎口５３ａと、バーナ本体５１の各側板５１ａとバーナキャップ５２の各側板５２ａとの間に画成される袖火炎口５３ｂとが設けられている。
【００１４】
また、バーナ本体５１には、前端の流入口５４ａから後方にのびる下部の混合管部５４と、混合管部５４の後端部から前後方向に広がりながら上方にのびる主混合気通路５５とが設けられ、流入口５４ａから流入する燃料ガスと一次空気との混合気が混合管部５４と主混合気通路５５とを介して主炎口５３ａに導かれるようにしている。尚、バーナ本体５１の両側板５１ａ，５１ａと上板５１ｂは、一枚の板を折り曲げることで形成されている。
【００１５】
バーナ本体５１の各側板５１ａとバーナキャップ５２の各側板５２ａとの間には、袖火炎口５３ｂに連なる袖火混合気通路５６が設けられている。また、バーナ本体５１の各側板５１ａには、バーナキャップ５２の各側板５２ａの下部が重ね合わされる部分より上方に位置させて、主混合気通路５５と袖火混合気通路５６とを連通する通気孔５６ａが前後方向の間隔を存して複数形成されている。そして、主混合気通路５５からこれら通気孔５６ａを介して分流される混合気が袖火混合気通路５６を介して袖火炎口５３ｂに供給され、袖火炎口５３ｂ上に形成される袖火により主炎口５３ａ上に形成される主炎が保炎されるようにしている。尚、バーナキャップ５２は、両側板５２ａ，５２ａの上端を前後複数箇所で繋ぐブリッジ部５２ｂを有している。
【００１６】
ところで、点火時には、点火電極８の直下に配置された偏平バーナ５の炎口部５３の外側の前後方向に沿う側板部であるバーナキャップ５２の図３で左側の側板５２ａの上端の前部所定箇所と点火電極８との間でスパークさせて、炎口部５３から噴出する混合気に点火する。そして、点火を確実にするには、左側の側板５２ａの上端の前部所定箇所にスパークが飛ぶターゲットを設けることが望まれるが、ターゲットを上方に突出する突起で構成したのでは、以下の不具合を生ずる。即ち、突起は、バーナ燃焼時に火炎に晒されるため、突起の先端がだれて丸くなってしまうことがある。そして、突起の先端がこのように変形すると、スパークが突起の先端に飛び難くなって、点火性能が悪化してしまう。
【００１７】
そこで、本実施形態では、バーナキャップ５２の左側の側板５２ａの上端の前部所定箇所に下方に窪む半円状の♯１の切欠き５７を形成し、この切欠き５７の両端の下方に窪み始める角張った形状のエッジ部５７ａがターゲットになるようにしている。ここで、エッジ部５７ａは、上記突起の先端と異なり、熱で変形し難く、点火性能が悪化することを可及的に防止できる。
【００１８】
また、本実施形態では、バーナキャップ５２の右側の側板５２ａの上端後部に、上記♯１の切欠き５７と点対称になるように♯２の切欠き５７を形成している。これによれば、バーナキャップ５２の向きを逆にして、本来左側に配置すべき側板５２ａを右側に配置させた状態でバーナキャップ５２をバーナ本体５１に組付けても、左側に配置された側板５２ａの上端の♯２の切欠き５７がターゲットとなるべき所定箇所に位置する。従って、バーナキャップ５２をその向きを気にせずに組付けられるようになり、組付け性が向上する。
【００１９】
尚、本実施形態では、点火電極８を偏平バーナ５の右寄りに配置する機種もあることから、バーナキャップ５２の右側の側板５２ａの上端前部に♯３の切欠き５７を形成すると共に、バーナキャップ５２の左側の側板５２ａの上端後部に、♯３の切欠き５７と点対称になるように♯４の切欠き５７を形成している。また、上記♯１〜♯４の切欠き５７は、どの偏平バーナ５が点火電極８の直下に配置されてもよいように、全ての偏平バーナ５に形成されている。
【００２０】
以上、本発明の実施形態について図面を参照して説明したが、本発明はこれに限定されない。例えば、偏平バーナ５をバーナキャップ５２を有しないものとすることも可能である。この場合は、炎口部の外側の前後方向に沿う側板部となるバーナ本体の側板の上端所定箇所に切欠きを形成する。また、上記実施形態では、切欠き５７を半円状に形成しているが、切欠き５７の形状は、少なくとも一端に角張ったエッジ部を有する限りＶ字状等の半円状以外のものであってもよい。但し、切欠き５７を打抜き成形するポンチの耐久性を考慮すると、切欠き５７の形状は、ポンチに欠け易い部分を生じない半円状であることが望ましい。
【符号の説明】
【００２１】
５…偏平バーナ、５１…バーナ本体、５１ａ…バーナ本体の側板、５２…バーナキャップ、５２ａ…バーナキャップの側板(側板部)、５３…炎口部、５７…切欠き、８…点火電極。
【図１】
0006430859.tif 000002
【図２】
0006430859.tif 000003
【図３】
0006430859.tif 000004
【図４】
0006430859.tif 000005